(57)【要約】【課題】ＳＡＷフィルタとの整合性における問題を軽減し、かつ静電気エネルギーをＧＮＤに逃がすことが可能なアンテナスイッチモジュールを提供することを目的とする。【解決手段】本発明に係るアンテナスイッチモジュールは、低周波帯域信号を送受信するための低周波側回路と、高周波帯域信号を送受信するための高周波側回路とを有している。低周波側回路においては、低周波側スイッチング回路に対し、低周波側ＳＡＷフィルタと低周波側ローパスフィルタが並列に接続され、高周波側回路においては、高周波側スイッチング回路に対し、高周波側ＳＡＷフィルタとトリプルバンド対応回路と高周波側ローパスフィルタとが並列に接続されている。本発明は、低周波側ＳＡＷフィルタの入力手前に低周波側接地型λ／４ストリップライン、及び／又は高周波側ＳＡＷフィルタの入力手前に高周波側接地型λ／４ストリップラインを設けることを特徴とする。【選択図】  図１
2005130340.tif 000002
【特許請求の範囲】
【請求項１】
積層セラミックス基板とＳＡＷフィルタとを備えたアンテナスイッチモジュールにおいて、前記積層セラミックス基板は、低周波帯域信号を送受信するための低周波側回路と、高周波帯域信号を送受信するための高周波側回路とを有し、前記低周波側回路には低周波側ＳＡＷフィルタが、前記高周波側回路には高周波側ＳＡＷフィルタが具備され、前記低周波側ＳＡＷフィルタの入力手前に低周波側接地型λ／４ストリップライン、及び／又は前記高周波側ＳＡＷフィルタの入力手前に高周波側接地型λ／４ストリップラインを設けたことを特徴とするアンテナスイッチモジュール。
【発明の詳細な説明】
【技術分野】
【０００１】
本発明は、携帯電話機等の電子機器に装備されるアンテナスイッチモジュールに関するものである。
【背景技術】
【０００２】
図２は、従来のアンテナスイッチモジュール(2)の構成を示しており、該アンテナスイッチモジュール(2)によれば、アンテナ接続端子(21)に共通のアンテナ(1)を接続することによって、欧州で使用される１８００ＭＨｚ帯を利用したＤＣＳ（Digital Cellular System）と、北米で使用される１９００ＭＨｚ帯を利用したＰＣＳ（Personal Communication Services）と、欧州などで使用される９００ＭＨｚ帯を利用したＧＳＭ（Global System For Mobile Communications）の、トリプルバンドの信号の送受信が可能である（例えば特許文献１）。
【０００３】
図２に示すアンテナスイッチモジュール(2)は、積層セラミックス基板を用いてモジュール化されており、アンテナ接続端子(21)には、ダイプレクサ(3)を介して、低周波側回路(8)と高周波側回路(9)とが並列に接続されている。
【０００４】
低周波側回路(8)においては、低周波側スイッチング回路(4)に対し、低周波側ＳＡＷフィルタ(41)と低周波側ローパスフィルタ(42)が並列に接続され、低周波側ＳＡＷフィルタ(41)からはＧＳＭの受信信号Rxgが出力される一方、低周波側ローパスフィルタ(42)にはＧＳＭの送信信号Txgが供給される。
【０００５】
又、高周波側回路(9)においては、高周波側スイッチング回路(5)に対し、高周波側ＳＡＷフィルタ(51)とトリプルバンド対応回路(6)と高周波側ローパスフィルタ(52)とが並列に接続され、高周波側ＳＡＷフィルタ(51)からはＤＣＳの受信信号Rxdが出力され、トリプルバンド対応回路(6)からはＰＣＳの受信信号Rxpが出力される。又、高周波側ローパスフィルタ(52)には、ＤＣＳ又はＰＣＳの送信信号Txdpが供給される。
【特許文献１】特開２００２−２４６８０９号公報
【発明の開示】
【発明が解決しようとする課題】
【０００６】
ところで、近年の携帯電話機においては、半導体回路部品の性能向上によって、アンテナの受信信号をＲＦ回路からＩＦ回路を経て復調回路に供給するダブルコンバージョン方式から、アンテナの受信信号をＲＦ回路から直接に復調回路に供給するダイレクトコンバージョン方式に移行しつつあり、これに伴ってＲＦ回路の小型化が実現されている。
【０００７】
しかしながら、積層セラミックス基板によりモジュール化された図２のアンテナスイッチモジュール(2)においては次のような問題があった。
【０００８】
即ち、ＳＡＷフィルタ(41)(51)単体のＥＳＤ（Electro Static Discharge：静電気放電）耐性は数百Ｖと極めて弱く、その対策として、アンテナスイッチモジュール(2)を実装するメイン回路基板に外付けで保護回路を設けると、携帯電話機の小型化の障害となる。そこで、外付け保護回路無しで市場要求に対応するＥＳＤ耐性をアンテナスイッチモジュール(2)に持たせるために、その一方法としてＳＡＷフィルタ(41)(51)入力前にそれぞれインダクタンス(43)(53)接地することにより、ＧＮＤに静電気エネルギーを逃がす方法があった。しかしながら、この方法では前記インダクタンス(43)(53)を加えたことによりＳＡＷフィルタ(41)(51)との整合性が悪化してアンテナスイッチモジュール(2)の電気的特性が劣化するため、ＳＡＷフィルタ(41)(51)との整合性に十分留意してインダクタンスの定数を選定する必要があった。
【０００９】
そこで本発明は、ＳＡＷフィルタとの整合性における問題を軽減し、かつ静電気エネルギーをＧＮＤに逃がすことが可能なアンテナスイッチモジュール(2)を提供することを目的とする。
【課題を解決するための手段】
【００１０】
本発明に係るアンテナスイッチモジュール(2)は、積層セラミックス基板を用いてモジュール化されており、アンテナ接続端子(21)に対し、ダイプレクサ(3)を介して、低周波帯域の信号を受信し若しくは送信するための低周波側回路(8)と、高周波帯域の信号を受信し若しくは送信するための高周波側回路(9)とが並列に接続されている。低周波側回路(8)においては、低周波側スイッチング回路(4)に対し、低周波側ＳＡＷフィルタ(41)と低周波側ローパスフィルタ(42)が並列に接続され、高周波側回路(9)においては、高周波側スイッチング回路(5)に対し、高周波側ＳＡＷフィルタ(51)とトリプルバンド対応回路(6)と高周波側ローパスフィルタ(52)とが並列に接続されている。
【００１１】
本発明は、低周波側ＳＡＷフィルタ(41) の入力手前に低周波側接地型λ／４ストリップライン(44)、及び／又は高周波側ＳＡＷフィルタ(51)の入力手前に高周波側接地型λ／４ストリップライン(54)を設けることを特徴とする。
【発明の効果】
【００１２】
低周波側回路(8)においては、低周波側接地型λ／４ストリップライン(44)は機械的にＧＮＤに接続されているため、低周波側回路(8)に入り込んだ静電気は低周波側接地型λ／４ストリップライン(44)を介してＧＮＤに逃がすことができる。一方、低周波側回路(8)に入力してきた希望周波数の信号に対しては、低周波側接地型λ／４ストリップライン(44)の入力端が電気的にオープン状態となるためＳＡＷフィルタ(41)との整合性に及ぼす影響を軽減できる。
【００１３】
同様に、高周波側回路(9)においては、高周波側接地型λ／４ストリップライン(54)は機械的にＧＮＤに接続されているため、高周波側回路(9)に入り込んだ静電気は高周波側接地型λ／４ストリップライン(54)を介してＧＮＤに逃がすことができる。一方、高周波側回路(9)に入力してきた希望周波数の信号に対しては、高周波側接地型λ／４ストリップライン(54)の入力端が電気的にオープン状態となるためＳＡＷフィルタ(51)との整合性に及ぼす影響を軽減できる。
【００１４】
従って、ＳＡＷフィルタ入力手前に接地型λ／４ストリップラインを設けることにより、ＳＡＷフィルタとの整合性における問題が軽減され、かつ静電気エネルギーをＧＮＤに逃がすことが可能となった。尚、接地型λ／４ストリップラインは、積層セラミックス基板に比較的容易に形成することができるため、コストアップ要因とはならない。
【発明を実施するための最良の形態】
【００１５】
以下、本発明の実施の形態につき、図面に沿って具体的に説明する。
【実施例１】
【００１６】
本発明に係るアンテナスイッチモジュールは、全体が積層セラミックス基板を用いてモジュール化されており、ＤＣＳ、ＰＣＳ及びＧＳＭのトリプルバンドの信号の送受信が可能である。
【００１７】
図１に示す如く、アンテナスイッチモジュール(2)のアンテナ接続端子(21)にはダイプレクサ(3)が接続され、該ダイプレクサ(3)に対して、低周波側回路(8)と高周波側回路(9)とが並列に接続されている。
【００１８】
低周波側回路(8)においては、低周波側スイッチング回路(4)に対し、低周波側ＳＡＷフィルタ(41)と低周波側ローパスフィルタ(42)とが並列に接続され、低周波側ＳＡＷフィルタ(41)入力手前に低周波側接地型λ／４ストリップライン(44)が接続され、低周波側ＳＡＷフィルタ(41)からはＧＳＭの受信信号Rxgが出力される一方、低周波側ローパスフィルタ(42)にはＧＳＭの送信信号Txgが供給される。
【００１９】
又、高周波側回路(9)においては、高周波側スイッチング回路(5)に対し、高周波側ＳＡＷフィルタ(51)とトリプルバンド対応回路(6)と高周波側ローパスフィルタ(52)とが並列に接続され、高周波側ＳＡＷフィルタ(51)入力手前に高周波側接地型λ／４ストリップライン(54)が接続され、高周波側ＳＡＷフィルタ(51)からはＤＣＳの受信信号Rxdが出力され、トリプルバンド対応回路(6)からはＰＣＳの受信信号Rxpが出力される。又、高周波側ローパスフィルタ(52)には、ＤＣＳ又はＰＣＳの送信信号Txdpが供給される。
【００２０】
上記本発明のアンテナスイッチモジュールにおいては、ＳＡＷフィルタ入力手前に接地型λ／４ストリップラインを設けたことにより、ＳＡＷフィルタとの整合性における問題が軽減され、かつ静電気エネルギーをＧＮＤに逃がすことが可能となった。尚、本発明の実施形態を実施例により具体的に説明したが、本発明は実施例に限定されるものではない。
【図面の簡単な説明】
【００２１】
【図１】本発明のアンテナスイッチモジュールの構成を示す回路図である。
【図２】従来のアンテナスイッチモジュールの構成を示す回路図である。
【符号の説明】
【００２２】
（１）  アンテナ
（２）  アンテナスイッチモジュール
（21）  アンテナ接続端子
（３）  ダイプレクサ
（４）  低周波側スイッチング回路
（41）  低周波側ＳＡＷフィルタ
（42）  低周波側ローパスフィルタ
（43）  低周波側インダクタ
（44）  低周波側接地型λ／４ストリップライン
（５）  高周波側スイッチング回路
（51）  高周波側ＳＡＷフィルタ
（52）  高周波側ローパスフィルタ
（53）  高周波側インダクタ
（54）  高周波側接地型λ/4ストリップライン
（６）  トリプルバンド対応回路
（８）  低周波側回路
（９）  高周波側回路
【図１】
2005130340.tif 000003
【図２】
2005130340.tif 000004